Podtech/llm-jp-corpus-v4-ja_patent huggingface dataset:
(57)【要約】      （修正有）【課題】睡眠時の頚部の筋郡への牽引力を軽減し筋弛緩を促し、血行促進、新陳代謝を増進し快適な睡眠が得られ、又頚部痛を有する使用者には快適な頚部角度を保持できる枕の提供。【解決手段】中央部に弾性扁平部分を設け、その周囲に高さをもたせた弾性芯体を有している。背臥位時は中央凹部に後頭部が納まり周囲弾性芯体で側頭部を支持し、頭部を低い位置に保持することで頚部前面及び後面の筋郡の牽引力を軽減し筋弛緩を促す。側臥位時は周囲弾性芯体で側頭部を適度な高さで支持し、頚部側面の筋郡の牽引力を軽減し筋弛緩を促す。【選択図】図１
2006026355.tif 000002
【特許請求の範囲】
【請求項１】
中央部に円形の凹部を設け、周りに弾力性を有する中央部より高く設定された円筒形の頭部載置部を有する枕。
【請求項２】
請求項１の枕で中央部を切り取ることで周辺部のみで形成される円形ドーナツ型の頭部載置部を有する枕。
【請求項３】
上記枕の内部に綿類、スポンジ類、粒状固形物、殻物類、木製又はコルク製粒上ボール又はチップ、ポリエチレン製又はポリプロピレン製粒上ビーズ、及び短い粒上パイプのいずれかを有する請求項１及び請求項２記載の枕。
【請求項４】
上記枕の内部に空気を充填したビニール又はゴム等で形成された請求項１及び請求項２記載の枕。
【請求項５】
請求項４の形態を有する枕で、内部に充填された空気量を調節可能にし、容易に高さの調節が出来、空気を抜くことで携帯に便利な請求項１及び請求項２記載の枕。
【発明の詳細な説明】
【発明の詳細な説明】
【技術分野】
【０００１】本発明は睡眠時に頚部の筋弛緩を促し、頚部痛または肩こりを軽減し、快適に睡眠することができる枕に関する。
【技術背景】
【０００２】快適な睡眠が得られ、健康増進を目的とした枕は、多様化され様々な種類のものが開発されている。しかしながらより快適な枕を求める要望は非常に多い。
【０００３】特開平１０−４３０２２、特開平１１−２４４１１３、特開２００１−１０４１２６等に見られるように四角形、凹状保持粋体を有する枕がある。
【発明の開示】
【発明が解決しようとする課題】
【０００４】睡眠時は背臥位では高い枕を使用した場合、頸部が前屈した形となり下部頚椎の後湾変形を促進し、又、僧帽筋、板状筋、菱形筋等、頸部後面の筋郡に牽引力を加え続けることになり筋の緊張を生み、肩こり及び首のはり等の原因をつくる。又、頚部痛のある使用者の場合は頚部前屈による頚部筋の伸展は大変な苦痛を生じる。【０００５】さらに睡眠時は寝返りを打ち、枕のずれが生じたり、側臥位をとることで低い枕又は四角形で中央部が凹状の枕では、この場合頚部が側屈した状態となり胸鎖乳突筋、肩甲挙筋等、頸部側面の筋郡に牽引力を加え続けることになり筋の緊張を生み、寝ちがい等の原因となる。【０００６】本発明は、このような問題を解決するものであり、その目的は背臥位時は頭部を低く保持し、側臥位時は適度に高さを有し、又頚部痛を有する使用者の睡眠時の頭部の固定保持が可能で、快適な睡眠を得て健康増進を得られる枕の提供を課題とする。
【課題を解決するための手段】
【０００７】上記課題を解決するために、請求項１及び請求項２記載の枕は背臥位時に頭部を低く保持できるように円形の凹部を有し、背臥位時には周辺部の円形状の凸部で頭部を適度な高さに保持することが可能。【０００８】又、寝返り等により枕の角度が変わった場合にも円形のため頭部の保持状態が変化しない。
【発明の効果】
【０００９】本発明の枕は円形を呈し、頭部をあてる方向に多様性があり睡眠時の寝返り等の動きに対し対応範囲が広い。【００１０】本発明の枕は、背臥位時には頭部を低く保持でき、頚部後面の筋郡への牽引力が働かず筋弛緩をうながし、周りの凸部で頭部を支えることで頸部痛のある使用者でも好みの角度が維持できるため快眠が可能となる。【００１１】又、側臥位時には周りの凸部で頭部を支えることで、頸部側面の筋郡への牽引力が働かず筋弛緩をうながし快眠が可能となる。【００１２】頸部の筋肉の弛緩状態が維持できれば、血行がよくなり新陳代謝が増進され、肩こり等の改善も可能となる。
【発明を実施するための最良の形態】
【００１３】以下、本発明の枕の実施の形態を、図面に基づいて詳細に説明する。【００１４】図１は、本発明の請求項１の枕の形態の一例を示す斜視図である。図２はその断面図である。円形扁平な中央部１０の周囲に筒状の芯体１１とを有している。【００１５】中央部扁平部分１０は０〜３０ｍｍ程度の厚さと直径１２０ｍｍ程度の寸法を有し、周囲芯体１１は直径８０ｍｍ程度の寸法で中央扁平部分を囲むドーナツ状の形態を呈する。【００１６】中央扁平部１０及び周辺芯体１１にはそれぞれ異なる種類の請求項３に示される弾性体、または同一の弾性体が充填されている。しかし周辺芯体１１は形状の維持が求められる為、内部弾性体が殻物、粒上固形物等の場合は袋状の仕切りをもうけるが（図５）、形状の維持の方法はこれに限らない。また請求項４及び請求項５に示される形態をとる場合は空気が充填される。【００１７】図６は背臥位における使用者の頭部で、凹型の窪みに後頭部がおさまり周囲の芯体１１で側頭部を支え、頭部位置は中央扁平部分１０に接地するか、浮いた状態で頭部を低い位置に保持する。【００１８】図７は側臥位における使用者の頭部で、周辺芯体１１にて頭部は適度な高さが保持される。【００１９】図３は、本発明の請求項２の枕の形態の一例を示す斜視図である。図４はその断面図である。直径８０ｍｍ程度の円柱状芯体又は楕円柱状芯体をドーナツ状にした形態を呈する。【００２０】内部弾性体には請求項３に示される弾性体が充填されている。しかし内部弾性体が殻物、粒上固形物等で形状の維持が必要な場合は袋状の仕切りをもうけるが（図５）、形状の維持の方法はこれに限らない。また請求項４及び請求項５に示される形態をとる場合は空気が充填される。
【図面の簡単な説明】
【図１】本発明の形態に係る請求項１の枕の全体を示す外観斜視図である。
【図２】図１の枕の横断面図である。
【図３】本発明の形態に係る請求項２の枕の全体を示す外観斜視図である。
【図４】図３の枕の横断面図である。
【図５】周辺芯体の充填素材を分ける仕切りを示した内部斜視図である。
【図６】図１の枕に使用者が頭部を置いた状態を頭頂方向から示す図である。
【図７】図１の枕に使用者が頭部を置いた状態を側面方向から示す図である。
【図８】図２の枕に使用者が頭部を置いた状態を示す図である。
【図１】
2006026355.tif 000003
【図２】
2006026355.tif 000004
【図３】
2006026355.tif 000005
【図４】
2006026355.tif 000006
【図５】
2006026355.tif 000007
【図６】
2006026355.tif 000008
【図７】
2006026355.tif 000009
【図８】
2006026355.tif 000010
(57)【要約】【課題】    左右の連結体１とストッパー２とがぶつからないように工夫し隙間を作る、またはストッパー２を必要としない構造にする事により仮に髪の毛が入っても挟まる事がなく快適な肩掛けベルト取り付け金具を提供できる。【解決手段】    左右の連結体１とストッパー２とがぶつからないようにストッパー２とは別の場所にストッパー３をつくり閉じたときに連結体１とストッパー２の間に隙間を作る、またはストッパー２を必要としない構造にする事により仮に髪の毛が入っても挟まる事がないようにする。【選択図】  図１
2006026352.tif 000002
【特許請求の範囲】
【請求項１】
左右の連結体１が閉じたときに連結体１をストッパー２で保持するのではなく連結体１とストッパー２とが常にぶつからないように別の場所で連結体１を保持するストッパー３を持ち閉じた状態の時に連結体１とストッパー２の間に隙間を作る、またはストッパー２を必要としない構造にする事により仮に中に髪の毛が入っても挟まる事がない快適な肩掛けベルト取り付け金具。
【発明の詳細な説明】
【技術分野】
【００１】      本発明はランドセルを背負ったときに肩掛けベルト取り付け金具の中に髪の毛が挟まらないように改良を加えたものである。
【技術背景】
【００２】      従来のこれらの肩掛けベルト取り付け金具は背負った児童の肩の大きさに応じて連結体１が左右に動き肩幅の小さい児童から大きい児童まで背負えるような構造になっているものがあった。
【発明の開示】
【発明が解決しようとする課題】
【００３】      そのために、閉じた状態の時に左右の連結体１とその保持の役目をするストッパー２との間に髪の毛が挟まるという欠点があり髪の毛の長い児童が不愉快な思いをするだけでなく髪の毛が挟まって切れてしまうという事が起こっていた。
【課題を解決するための手段】
【００４】      そのような欠点を取り除くためにこの発明は左右の連結体１とストッパー２とがぶつからないように工夫し隙間を作るまたはストッパー２を必要としない構造にする事により仮に髪の毛が入っても挟まる事がなく快適な肩掛けベルト取り付け金具を提供できる。
これを図面で説明すると、図１は肩掛けベルト取り付け金具が閉じている状態であるがそのときに左右の連結体１とそのストッパー２の間に髪の毛が挟まるのが今までの肩掛けベルト取り付け金具の欠点であった。そこでストッパー２で左右の連結体１を保持するのではなくストッパー３を設ける事により連結体１とストッパー２がぶつかることなく隙間を維持する事が出来る、またはストッパー２が必要のない構造に出来る。ストッパー３はこの位置だけでなく連結体１とストッパー２の間に隙間が出来るような構造もしくはストッパー２を必要としない構造であればどこに存在しても良い。
【発明の効果】
【００５】      髪の毛が連結体１とストッパー２の間に挟まることなく髪の毛が長い児童が不愉快な思いをしたり、また髪の毛が挟まってちぎれたりすることがなくなるの安心してランドセルを背負う事が出来る。
【発明を実施するための最良の形態】
【００６】      以下、本発明の実施の形態について説明する。
本体６に左右の連結体１を留め具４で留める。左右の連結体１はバネ５で内側に引張られており常に閉じた状態になっており外に開く力が加えられたときに図２に示すように留め具４を中心に左右に開くようになっている。この開いた状態から左右の連結体１が内側に閉じて行くとストッパー３が先に左右の連結体１に当たるのでストッパー２には当たらない位置で保持する事が出来る。それによってストッパー２との間に隙間を作る事が出来る、またはストッパー２を必要としない状態に出来るのでこの部分に髪の毛をはさむ要因を排除する事が出来る。
【図面の簡単な説明】
【図１】      肩掛けベルト取り付け金具が閉じている時
【図２】      肩掛けベルト取り付け金具が開いている時
【符号の説明】
１．ベルトとの連結体
２．ストッパー
３．ストッパー
４．１の連結体を本体６に固定する留め具
５．バネ
６．本体
【図１】
2006026352.tif 000003
【図２】
2006026352.tif 000004
(57)【要約】      （修正有）【課題】  畳と畳の間にできるすき間などには、よくゴミが入り込んで、そのままはさまって取れなくなっていることが多い。そんな時、すき間にはさまったゴミを、すき間の外へかきだしたい。【解決手段】  ゴム製の薄い板の下部分の両端に三角形のでっぱり１をもうけた器具。すき間にはさまったゴミを、三角形のでっぱり１に引っ掛けて、すき間の外へとかきだす。【選択図】図１
2006026354.tif 000002
【特許請求の範囲】
【請求項１】
ゴム製の薄い板で、下部分の両端に三角形のゴム製のでっぱりをもうけた、すき間にはまったゴミのかきだし器具。
【発明の詳細な説明】
【技術分野】
【０００１】  本発明は、すき間にはさまったゴミを、すき間の外へかきだすための器具に関する。
【背景技術】
【０００２】  畳と畳の間にできるすき間などには、よくゴミが入り込んて、そのままはさまって取れなくなっていることが多い。【０００３】  そんな時、雑巾などですき間を拭き掃除しても、すき間にはさまったゴミはなかなか取れない。
【発明の開示】
【発明が解決しようとする課題】
【０００４】  だから、すき間にはさまったゴミをすき間の外へかきだしたい。【０００５】  そのためには、ゴミのはさまっているすき間に入っていくことができ、直接ゴミをかきだす器具が欲しい。
【課題を解決するための手段】
【０００６】  それには、ゴミのはさまっているすき間に入ってくことができ、ゴミを直接かきだすことができる、ゴム製の薄い板の下部分の両端にゴム製の三角形のでっぱりをもうけた器具を発明した。【０００７】  本発明の使用方法は、器具の上部分を手で持ち、ゴミがはさまっているすき間に器具の下部分を入れて、三角形のでっぱりではさまっているゴミをひっかけて、ゴミをすき間の外へかきだす。
【発明の効果】
【０００８】  上記のように、本発明の器具はゴミのはさまっているすき間に入って、取れなくなったゴミを引っ掛けて、すき間の外へかきだすことができる。
【発明を実施するための最良の形態】
【０００９】本発明を、図１、図２に基ずいて説明する。【００１０】  １は、でっぱり。【００１１】  ゴム製の薄い板で、下部分の両端がゴム製の三角形のでっぱりになっている。この三角形のでっぱりですき間にはさまったゴミを引っ掛けて、すき間の外へゴミをかきだす。
【図面の簡単な説明】
【００１２】
【図１】  本発明の実施形態を示す斜視図である。
【図２】  本発明の正面図である。
【符号の説明】
【００１３】１      でっぱり
【図１】
2006026354.tif 000003
【図２】
2006026354.tif 000004
(57)【要約】【課題】従来の保温鍋では、主である内鍋が従である外鍋に納めて保持されるので、内鍋は外鍋に対して大きく形成することができないので、内鍋に料理を盛り付けて食に供するには外鍋が差し障りとなり、料理が取りにくく味わいながら食するには向かなかった。【解決手段】水を入れてコンロ等で外部加熱して湯煎する下鍋と、料理を置く上鍋とからなり、下鍋の口に上鍋の裏部とが合致する形成とし、かつ下鍋の水に接するように傾斜をつけ、浮力による浮き上がりを自重で保持させる上鍋を上に重ねるように構成した。これにより、煮付け等の料理の盛り付けされた状態で取りやすく、冷めずにゆっくりと味わいながら食することを得ることができる。また、湯量の点検調整を容易にするための点検口を設けた。【選択図】図１
2006026353.tif 000002
【特許請求の範囲】
【請求項１】
水を入れてコンロ等で外部加熱して湯煎する下鍋と、料理を置く上鍋とからなり、前記下鍋の口に前記上鍋の裏部とが合致する形成とし、かつ前記下鍋の水に接するように傾斜をつけ、浮力による浮き上がりを自重で保持させる前記上鍋を上に重ねることを特徴とする保温鍋。
【請求項２】
前記下鍋には、本体部に連通した附室の点検口を設けて水量確認と調整を容易にしたことを特徴とする請求項１記載の保温鍋。
【発明の詳細な説明】
【技術分野】
【０００１】  この発明は、煮付け等の料理が取りやすく、冷めずにゆっくりと味わいながら食するために使用する保温鍋に関する。
【背景技術】
【０００２】  従来の保温鍋は、内鍋に料理を入れ、外鍋に水を入れ外部加熱して湯煎するものがある。【０００３】  その外鍋と内鍋の隙間の間隔を保持安定させるのに煩雑な手段を設けたものもある。【０００４】  また、湯煎の水の蒸散を防ぐのに鍔のようなものを設けているので、湯量の点検および追い湯が容易にできにくいものもある。
【発明の開示】
【発明が解決しようとする課題】
【０００５】  以上に述べた従来の保温鍋では、主である内鍋が従である外鍋に納めて保持されるのて、内鍋は外鍋に対して大きく形成することができないので、内鍋に料理を盛り付けて食に供するには外鍋が差し障りとなり、料理が取りにくく、ゆっくりと味わいながら食するには向かなかった。【０００６】  この発明は、このような従来の構成が有していた問題を解決しようとするものであり、料理を盛り付ける鍋を上鍋とし、水を入れ外部加熱して湯煎する鍋を下鍋としたことにより、上鍋は下鍋に対して大きく形成でき、しかも、上下に重ねるだけで自重により安定保持することができるので、煮付け等の料理が取りやすく、冷めずにゆっくりと味わいながら食することを得る保温鍋を提供することを目的とするものである。
【課題を解決するための手段】
【０００７】  上記の目的を達成するために、この発明は、水を入れてコンロ等で外部加熱して湯煎する下鍋と、料理を置く上鍋とからなり、前記下鍋の口に前記上鍋の裏部とが合致する形成とし、かつ前記下鍋の水に接するように傾斜をつけ、浮力による浮き上がりを自重で保持させる前記上鍋を上下に重ねることを特徴とする保温鍋である。【０００８】  また、前記下鍋には、本体部に連通した附室の点検口を設けて水量確認と調整を容易にしたことを特徴としたものである。【０００９】  保温鍋を上記のように構成したから、これを使用するときには、水を入れた下鍋に上鍋を重ね合わせて、下鍋の点検口で水量を調整し、そして上鍋を保持させコンロ等で外部加熱しておく。その後、上鍋に煮付け等の料理を盛り付ければ、食するとき料理が取りやすく、冷めずにゆっくりと味わうことができる。【００１０】  また、食事中に下鍋の湯煎の水量が減少したときには、上鍋を移動しなくとも点検口から追い湯を注ぎ入れることが容易にできる。
【発明の効果】
【００１１】  以上説明したように、この発明の保温鍋は、上鍋に料理を盛り付けるので、食事のときに料理が取りやすく、冷めずにゆっくりと味わうのに優れた効果がある。【００１２】  また、下鍋に冷水を入れれば冷奴や刺身などを食するときの保冷鍋としても利用するこができる。【００１３】  なお、上鍋は単独で盛皿、焼き鍋としても使用でき、また、下鍋については通常の煮物鍋としても使用できる。
【発明を実施するための最良の形態】
【００１４】  以下、この発明の実施の形態を図１〜図４に基づいて説明する。【００１５】  図においては、上鍋１と、下鍋２からなり、上鍋１に料理を盛り付け下鍋２に水５を入れ、その上に自重で保持させる上鍋１を重ねて使用される。【００１６】  上鍋１は、水５に接するように傾斜しており、かつ下鍋２の口と上鍋１の裏部とが合致するように形成する。【００１７】  下鍋２には、本体部に連通した附室の点検口３を設けて、上鍋１を重ね使用するとき水量の確認をおこない、水５の増減調整を容易にできるようにした。さらに、対称に配置して取手の機能も兼ねている。【００１８】  この発明においては、鍋の材質は、陶磁器製とするのが好ましいが、金属製とすることもでき、特に制限されるもではない。
【図面の簡単な説明】
【００１９】
【図１】  本発明の保温鍋の傾斜図
【図２】  同の上鍋平面図
【図３】  同の下鍋平面図
【図４】  同の使用時を示す図２、図３におけるＡ−Ａ線の正面断面図
【符号の説明】
【００２０】  １  上鍋
２  下鍋
３  点検口
４  取手
５  水
【図１】
2006026353.tif 000003
【図２】
2006026353.tif 000004
【図３】
2006026353.tif 000005
【図４】
2006026353.tif 000006
(57)【要約】【課題】味噌を多くの線状にする事によって、熱湯の中に素早く溶け込み、わずらわしい作業をする事なく、簡単でしかも安全に味噌汁を作れる線状味噌押し出し具を提供する。【解決手段】筒状本体（１）、の中側入り口近くに、押し出しピストン（２）をもうけその中央部に回転押し出しネジ（３）を設け、その先端部に押し出していく為の回転ハンドル（４）を設け、中央部にネジ穴を持ったキャツプ（５）を設け、反対側に味噌を線状に押し出す多くの穴を持った盤（８）を持ち、人数分の量を測る目盛持った事を特徴とする。【選択図】  図１
2006026366.tif 000002
【特許請求の範囲】
【請求項１】
筒状本体（１）の、中側入り口近くに、押し出しピストン（２）を設け、中央部に回転押し出しネジを設け、その先端部に押し出していく為の回転ハンドル（４）を設け、中央にネジ穴を持ったキャップ（５）を設け、反対側に味噌を線状に押し出す多くの穴を持った盤（８）を持ち、人数分の量を測る目盛を装着した線状味噌押し出し具。
【発明の詳細な説明】
【技術分野】
【０００１】    この発明は、筒状本体に味噌を線状に押し出す為のピストン及びネジ、ハンドルを持った、線状味噌押し出し具に関する物で有る。
【背景技術】
【０００２】    従来、穴の開いたスプーン状の物で味噌をすくい、熱湯の中に味噌を入れてから味噌をとぐ道具等があった。
【発明の開示】
【発明が解決しようとする課題】
【０００３】    従来のやり方では次の様な欠点があった。
イ、  味噌を適量おたまですくい熱湯の中に入れ箸等でといていた。
ロ、  穴のあいたスプーン状の物も有ったが、解けるに時間がかかり手が熱くなる等の欠点が有った。
本発明は、これらの欠点を除く為になされた物である。
【課題を解決する為の手段】
【０００４】    筒状本体（１）の、中側入り口近くに、押し出しピストン（２）を設ける。
そして、その中央部に回転押し出しネジ（３）を設け、その先端部に押し出していく為の回転ハンドル（４）を設け、中央部にネジ穴を持ったキヤップ（５）を設け、反対側に味噌を線状に押し出す多くの穴を持った盤（８）を持ち、人数分の量を測る目盛を装着する。
本発明は、以上の様な構成からなる線状味噌押し出し具である。
【発明の効果】
【０００５】  本発明は以上の様な構造で、これを使用する時は、キャップ（５）をはずし、押し出しピストン（２）を取り出し、買ってきた味噌（６）に付いている、紙状のふた（７）をはがし、味噌本体（６）を筒状本体（１）の中に（１０）の様に入れ、押し出しピストン（２）を本体の中に戻しキャップ（５）を装着する。
そして、左手で筒状本体（１）を持ち回転ハンドル（４）を右に回していけば、押し出しピストン（２）の圧力で味噌（１０）が（８）の小さな穴より線状になって多数出てくるので沸騰したお湯の中に人数分の味噌を目盛（９）にしたがって入れれば手を汚す事無く、手が熱くなる事も無く、味噌汁を簡単に作る事が出来る。
【０００６】  以下、本発明の実地の形態について説明する。
イ  筒状本体（１）の中に、紙状のふた（７）をはがした味噌本体（６）を入れ、押し出しネジ（３）を付けたままのキャップ（５）を回して，筒状本体（１）のネジ部に取り付ける。
本案を使用する時は、筒状本体（１）の外周を左手で握り、回転ハンドル（４）を右方向に、目盛（９）を目安に適量回していけば多くの穴を持った盤（８）から線状になった味噌が出てきて、熱湯の中に入った瞬間に味噌が溶け出し、すぐに味噌汁が出来るものである。
【図面の簡単な説明】
【０００７】
【図１】    本発明の斜視図である。
【図２】    本発明の横断面図である。
【図３】    本発明の売っている味噌の斜視図である。
【符号の説明】
【０００８】    １  筒状本体      ２  押し出しピストン      ３  回転押し出しネジ      ４  回転ハンドル      ５  キャップ      ６  味噌入れ      ７  紙状のふた      ８  線状に押し出す多くの穴を持った盤      ９  人数分の量を測る目盛
【図１】
2006026366.tif 000003
【図２】
2006026366.tif 000004
【図３】
2006026366.tif 000005
(57)【要約】【課題】  コーヒー豆を充分に蒸らすための容器を取り付けた、コーヒードリッパーを提供する。【解決手段】  コーヒー豆を入れて蒸らす為のカップ型の容器に支軸を設け、その支軸をコーヒードリッパーのカップ上部に架けて、カップ型の容器をコーヒードリッパーのカップの上部の中空部分に設置したことを特徴とする、蒸らし容器付コーヒードリッパー。【選択図】  図１
2006026367.tif 000002
【特許請求の範囲】
【請求項１】
コーヒー豆を入れて蒸らす為の容器に支軸を設け、その支軸をコーヒードリッパーのカップ上部に架けて、その容器をコーヒードリッパーのカップの上部の中空部分に設置したことを特徴とする、蒸らし容器付コーヒードリッパー。
【発明の詳細な説明】
【技術分野】
【０００１】  本発明は、コーヒー豆を充分に蒸らすための容器を取り付けた、コーヒードリッパーに関するものである。
【背景技術】
【０００２】  従来、コーヒードリッパーを使用してコーヒーを作る際は、ドリッパーにペーパーフィルター等のろ過装置をセットし、そこへ直接コーヒー豆を入れ、適量の湯を注いで豆を蒸らした後、湯を注いでコーヒー液を抽出していた。
【発明の開示】
【発明が解決しようとする課題】
【０００３】  そのために、次のような問題点があった。
（イ）蒸らしの時、フィルターに直接盛ったコーヒー豆に湯を注ぐので、湯がフィルターを通して逃げ出てしまい、湯をコーヒー豆に均一に浸透させるのが難しかった。又、同様に、保湿が充分でないために、効果的なコーヒー豆の蒸らしが得られなかった。
（ロ）蒸らし後、フィルターの中の蒸らした豆に湯を注ぎ入れる時、コーヒーの抽出効果を充分にする為に必要な、コーヒー液の攪拌は、棒などでかき混ぜて行う必要があった。
本発明はこれらの問題点を解決するためになされたものである。
【課題を解決するための手段】
【０００４】  コーヒー豆を入れて蒸らす為のカップ型の容器に支軸を設ける。そして、その支軸をコーヒードリッパーのカップ上部に架けて、カップ型の容器をコーヒードリッパーのカップの上部の中空部分に設置する。
以上を特徴とする、蒸らし容器付コーヒードリッパーである。
【発明の効果】
【０００５】（イ）蒸らしの為の湯を入れても、湯が逃げ出ることがないので、湯が均等にコーヒー豆に浸透する。又、保湿効果により、充分な豆の蒸らしが得られる。
（ロ）その後、湯を注ぎ入れると、コーヒー豆が湯とともに溢れ出して下のフィルターに注ぎ込まれるので、そのとき充分な攪拌効果が得られる。
【発明を実施するための最良の形態】
【０００６】  以下、本発明の実施の形態について説明する。
（イ）コーヒー豆（７）を入れるカップ型の蒸らし容器（１）に支軸（２）を設ける。
（ロ）支軸（２）に、軸の位置を固定させるための、軸切り込み（３）を設ける。
（ハ）コーヒードリッパー（４）のカップ上端の、支軸（２）を受ける部分２箇所に、支軸（２）を安定させるための、カップ切り込みａ（５）とカップ切込みｂ（６）を設ける。
（ニ）支軸（２）を、軸切り込み（３）とカップ切り込みａ（５）に合わせて、それぞれのカップ切り込みに入れ、蒸らし容器（１）をコーヒードリッパー（４）のカップ上部の中空部分に設置する。
本発明は、以上の構成よりなっている。
本発明を使用するときは、
（イ）蒸らし容器（１）の凹面が上を向くように設置して、図３のようにコーヒー豆（７）を入れ、適量の湯を入れて充分な時間豆を蒸らす。その後、湯を、蒸らし容器（１）に注ぎ入れると、水流により豆が蒸らし容器（１）から溢れ出て、下のフィルター（８）に湯とともに注ぎ込まれる。
（ロ）その後、図４のように蒸らし容器（１）の凹面が下を向くように設置し直すと、蒸らし容器（１）に残った湯が全て排出される。又、さらに湯量が必要なときは、湯を蒸らし容器（１）の凸面の上から注ぐと、湯が拡散された状態でフィルター（８）に注がれる。
【図面の簡単な説明】
【０００７】
【図１】本発明の斜視図
【図２】本発明の各部を分離した拡大斜視図
【図３】本発明の使用状態を示す斜視図
【図４】本発明の使用状態を示す斜視図
【符号の説明】
【０００８】  １  蒸らし容器
２  支軸
３  軸切り込み
４  コーヒードリッパー
５  カップ切り込みａ
６  カップ切り込みｂ
７  コーヒー豆
８  フィルター
【図１】
2006026367.tif 000003
【図２】
2006026367.tif 000004
【図３】
2006026367.tif 000005
【図４】
2006026367.tif 000006
(57)【要約】【課題】従来の野球・ソフトボール用グローブには、指導操作及び補助する機能は、特に何も付いてなく、初心者がボールの捕球練習をする場合、補助者は、グローブの向きやボールの取り方を指導するのに、口頭で説明するか、初心者の手首を握って後方からの指導しかなく、初心者にとっては、グローブの向きやボールの感覚をつかむのに時間が掛かかり、ボールに対する恐怖心がなかなか取れなかった。【解決手段】野球・ソフトボール用グローブの甲面に、指を通す開口部を設け、その開口部に補助者が指を通して、初心者のグローブに甲面から手を重ね合わせる事により、補助者と初心者の手が、同時にグローブの向きと開閉ができるようになる。【選択図】図１
2006026362.tif 000002
【特許請求の範囲】
【請求項１】
野球・ソフトボール用グローブの甲面に、指を通す開口部を設けたことを特徴とする補助付き野球・ソフトボール用グローブ
【発明の詳細な説明】
【技術分野】
【０００１】  この発明は、野球・ソフトボール用グローブの形状に関する。
【背景技術】
【０００２】  従来の野球・ソフトボール用グローブには、指導操作及び補助する機能は、特に何も付いていなかった。
【発明の開示】
【発明が解決しようとする課題】
【０００３】  しかしながら、以上の技術によれば、初心者がボールの捕球練習をする場合、補助者は、グローブの向きやボールの取り方を指導するのに、口頭で説明するか、初心者の手首を握って後方からの指導しかなく、初心者にとっては、グローブの向きやボールの感覚をつかむのに時間が掛かかり、ボールに対する恐怖心がなかなか取れなかった。そこで、この発明は、補助者が初心者のグローブに甲面から手を重ね合わせて、初心者のグローブと手の動きを、補助者の手と同時に、グローブの向きと開閉ができるようにしたことを特徴とする補助付き野球・ソフトボール用グローブである。
【課題を解決するための手段】
【０００４】  以上の課題を解決するために、この発明は、野球・ソフトボール用グローブの甲面に、指を通す開口部を設けたことを特徴とする補助付き野球・ソフトボール用グローブである。
【発明の効果】
【０００５】  この発明によれば、野球・ソフトボール用グローブの甲面に、指を通す開口部を設けたことで、その開口部に補助者が指を通して、初心者のグローブに甲面から手を重ね合わせる事により、補助者と初心者の手が、同時にグローブの向きと開閉ができるようになる。
したがって、初心者にとっては、最善のボール捕球方法を、より早くより分かりやすく習得できるとともに、ボールに対する恐怖心を緩和することができる。
【発明を実施するための最良の形態】
【０００６】  この発明の一実施形態を、図１に示す。
野球・ソフトボール用グローブの本体１の甲面に、指を通す開口部２を設けられている。【０００７】「実施形態の効果」
この実施形態によれば、野球・ソフトボール用グローブの本体１の甲面に、一体的に指を通す開口部２を設けられている事で、着脱の必要がなく、誰でもその場で直ちに、指導や補助ができる。また、甲面への発明であるため、通常の一人使用時も支障はなく、指導や補助がいらなくなっても、そのまま使用できる。【０００８】「他の実施形態」
図１の実施形態では、指を通す開口部２は、野球・ソフトボール用グローブの本体１と同じ革製で同色であることで、他の実施形態では、布製で他色のものでも良い。
【図面の簡単な説明】
【０００９】
【図１】この発明の一実施形態を示す斜視図である。
【符号の説明】
【００１０】  １  野球・ソフトボール用グローブの本体
２  指を通す開口部
【図１】
2006026362.tif 000003
(57)【要約】      （修正有）【課題】巻き具のすきまに毛髪を入れるだけで、簡単に巻ける毛髪巻き具を提供する。【解決手段】巻き具１を、弾力を利用したロール状にすることによって、すきまから入れた毛先が挟まれ巻くことが簡単になった。【選択図】  図４
2006026364.tif 000002
【特許請求の範囲】
【請求項１】
耐薬液性に優れた弾力の有る材質によって、ロール状体に形成された毛髪巻き具にすきまを開け弾力を利用して髪の毛を挟む事を特徴とする毛髪巻き具。
【請求項２】
毛髪巻き具に複数の楕円形に穴を開け薬液の浸透を良くし、通気させる事を特徴とする毛髪巻き具。
【発明の詳細な説明】
【技術分野】
【０００１】本発明は、巻き具にすきまを開けペーパーを使用しなくても、すきまとすきまの弾力によって毛を挟み巻やすくしたものである。
【背景技術】
【０００２】従来、巻き具は、毛先を巻き具の上に巻くことを前提としていたためペーパーを使用しないで巻くことが不可能であった。（例えば特許文献１参照）
【特許文献１】特開２００４−１１３４６４
【発明の開示】
【発明の効果】
【０００３】このようにすれば、ペーパーを使用せず巻くことが簡単になるため時間の短縮になる。
【発明を実施するための最良の形態】
【０００４】本発明は、やわらかいウエーブもしくはカールをだす時に簡単に作ることを可能にし、それを図面について説明すれば、（１）と（２）のすきまに入れるだけ巻けるようにしたものである。
【図面の簡単な説明】
【０００５】
【図１】巻き具の断面図
【図２】巻き具の平面図
【図３】巻き具の斜視図
【図４】毛髪を巻い断面図
【図５】巻き具の展開図
【符号の説明】
【０００６】１  巻き具本体
２  先端部
３  楕円形の穴
４  毛髪
【図１】
2006026364.tif 000003
【図２】
2006026364.tif 000004
【図３】
2006026364.tif 000005
【図４】
2006026364.tif 000006
【図５】
2006026364.tif 000007
(57)【要約】      （修正有）【課題】  従来から、正座用の座椅子に関するものは数多く知られているが、その多くは簡易的なものや携帯用で、背受部、肘掛け付きの正座しても下肢が痺れない座椅子について余りなかった。下肢が痺れない座椅子を提供する。【解決手段】  座部と当該座部の後端に背受部を角度調節機構等を介して起倒自在に連結するとともに、背受部の上部両端に前方に可動、水平保持可能、かつ、伸縮可能な肘掛けを配置し、さらに、背受部の下端部に引掛金具で保持された前方向に着脱可能な腰部保持板を配置する。また、背受部の下部両端に前方に可動で、先端に水平保持のための保持支柱を内蔵した伸縮可能な着座板掛けを配置するとともに前記座部の左右両側上面に保持支柱受を取り付ける。必要に応じて腰部保持板を取り外して着座板掛けに取り付けて着座板として使用することを特徴とする。【選択図】図１
2006026365.tif 000002
【特許請求の範囲】
【請求項１】
座部と当該座部の後端に背受部を所定角度に設定保持可能な角度調節機構等を介して起倒自在に連結するとともに、背受部の上部両端に前方に可動、ほぼ水平保持が可能な肘掛けを配置し、背受部の下端部に前方向に着脱可能な腰部保持板を配置する。背受部の下部両端に前方に可動で、先端に保持支柱を内蔵した着座板掛けを配置するとともに、前記座部の左右両側上面に支柱受を取り付ける。通常の使用から所要に応じて背受部から腰部保持板を取り外して着座板掛けに取り付けて着座板とし、正座用としても使用できることを特徴とする座椅子。
【発明の詳細な説明】
【技術分野】
【０００１】  この発明は、長時間正座しても下肢が痺れない座椅子に関するものである。
【背景技術】
【０００２】  従来から、座椅子に関するものは数多く知られているが、その多くは簡易的なものや携帯用であり、背受部、肘掛け付きの長時間正座しても下肢が痺れない座椅子については余りなかった。（例えば特許文献１参照。）
【特許文献１】特開２００４−１６００６６号公報（座椅子）
【発明の開示】
【発明が解決しようとする課題】
【０００３】  特許文献１の座椅子は、座部の上方に別途、着座部を配置し、下肢に体重が掛かるのを防止することによって長時間にわたって正座しても下肢が痺れないことを特徴した数少ない中の一つであるが、次のような問題点があった。
（１）正座時の下肢の痺れ防止専用座椅子で、あぐら座り等での通常の使用ができない。
（２）背受部を倒して折り畳んで格納、または、重ねて格納する等ができない。
【課題を解決するための手段】
【０００４】  本発明は、前記課題を解決するために、正座、あぐら座りおよび正座しても下肢が痺れない等種々の利用法に対応するとともに、折り畳んで格納、または、重ねて格納することができる座椅子に関するもので、第１発明の座椅子は、
座部と当該座部の後端に所定角度に設定可能な角度調節機構等を介して背受部を起倒自在に連結するとともに、背受部の上部両端に前方に可動、ほぼ水平保持が可能で、かつ、伸縮可能な肘掛けを配置し、さらに背受部の下端部に引掛金具で保持された前方向に着脱可能な腰部保持板を配置する。また、背受部の下部両端に前方に可動で、先端に体重保持のための保持支柱を内蔵した伸縮可能な着座板掛けを配置するとともに、前記座部の左右両側上面に保持支柱受を取り付ける。必要に応じて腰部保持板を取り外し、着座板掛けに取り付けて着座板として使用することを特徴とする。
【発明の効果】
【０００５】（１）威儀を正しての正座、あぐら座りおよび下肢が痺れない正座等いかなる長時間の座り方にもゆったりと対応することができる。
（２）外見は通常の座椅子と変わらず、折り畳んでまたは重ねて格納することができる。
【発明を実施するための最良の形態】
【０００６】  本発明の実施例を図面に基づいて説明する。
【実施例１】
【０００７】（１）座部１と背受部２を角度調節機構３を介して所定角度保持、屈折自在に連結する。
（２）背受部２の上部両端に前方に可動で、ほぼ水平保持が可能な肘掛け４を配置する。必要があれば、肘掛け４を前方に伸縮可能とする。
（３）背受部２の下端部の四か所に金具受孔５設けるとともに、四か所に引掛金具６を取り付けて前方向に着脱可能な腰部保持板７を配置する。
（４）背受部２の下部両端に前方に可動で、先端に水平保持のための保持支柱８を内蔵した厚さが背受部２の約半分の着座板掛け９を配置する。必要があれば、着座板掛け９を前方に伸縮可能とする。
（５）左右の着座板掛け９の上面二か所に金具受孔５を形成する。
（６）座部１の左右両側に保持支柱８を受ける支柱受１０を配置する。
（７）着座板掛け９の高さおよび保持支柱８の長さは、座部１の上に座布団等を使用することを考慮した位置とする。
以上から構成される座椅子。【０００８】  本発明は以上のような構造で、これを使用する場合、通常は座椅子の背受部を適度な角度に調節して、肘掛けを前方に倒して使用する。また、威儀を正して正座をする必要があり、下肢の痺れを防止したい場合は、背受部下端部の着座板掛けを前方に引き上げ、内蔵の保持支柱を引き下げて先端を座部の左右両側に支柱受に挿入するとともに、背受部下端の腰部保持板を前方向に取り外し、腰部保持板の引掛金具を着座板掛けの金具受孔に嵌め込むことで腰部保持板を着座板として使用する。
また、下肢が痺れない座椅子から通常の座椅子に戻す場合は、着座板として使用した腰部保持板を着座板掛けから外し、背受部下端部に取り付けるとともに、保持支柱を格納し、着座板掛けを元に格納する。使用しない場合は、折り畳んで、あるいは重ねて格納する。
【産業上の利用の可能性】
【０００９】  ホテル等では、テーブル、椅子が主であるが、旅館等では座卓、お膳に座椅子等が利用されている。正座が苦手な人々にとって長時間の正座は、まことに苦痛である。
本発明の座椅子は、通常の座椅子としても、下肢が痺れない座椅子としても利用できることを特徴とするもので、産業上の利用の可能性は極めて高いものである。
【図面の簡単な説明】
【図１】本発明の下肢が痺れない座椅子としての使用する場合の側面図である。
【図２】本発明の下肢が痺れない座椅子としての使用する場合の正面図である。
【図３】本発明の通常の座椅子としての使用する場合の側面図である。
【図４】本発明の通常の座椅子としての使用する場合の正面図である。
【符号の説明】
１  座部    ２  背受部    ３  角度調節機構    ４  肘掛け    ５  金具受孔    ６  引掛金具    ７  腰部保持板（着座板）    ８  保持支柱    ９  着座板掛け    １０  支柱受
【図１】
2006026365.tif 000003
【図２】
2006026365.tif 000004
【図３】
2006026365.tif 000005
【図４】
2006026365.tif 000006
(57)【要約】【課題】従来の足用使い捨てカイロは、扁平な形状を有し、カイロの発熱により足の温度を上昇させ、足の冷え症状に対応するものである。しかし冷え症が強い場合その加温程度では十分な症状改善にならない場合がある。発熱温度を上げれば低温火傷の可能性がある。そこで本発明が解決しようとする事として、カイロの温度は変えずに、つぼと磁気の効果を加えた。これにより単なる通常の足用カイロによる加温効果よりも、冷え症の症状改善効果があるカイロを提供することを課題とする。【解決手段】つぼ刺激用の突起として、半球状あるいは卵形状などの磁石を用いる。この磁石を使い捨て足用カイロの貼付面に貼る。磁石の位置は、足裏の冷え性に作用するつぼである湧泉を刺激する場所を選んで調整する。【選択図】図１
2006026370.tif 000002
【特許請求の範囲】
【請求項１】
使い捨てカイロに適当なつぼを刺激する隆起を作ることにより、本来のカイロによる温度上昇効果とつぼの刺激効果の相乗効果を目的とした足用使い捨てカイロ
【請求項２】
つぼを刺激する隆起に磁石を使用し、磁気による血行促進の効果も伴う足用使い捨てカイロ
【発明の詳細な説明】
【技術分野】
【０００１】本発明は、冷え性の症状改善のためにつぼと磁気の効果を加えた、足用使い捨てカイロに関するものである
【背景技術】
【０００２】従来の足用使い捨てカイロは、扁平な形状を有し、靴下を介するなどして足裏に張るタイプのもので、カイロの発熱により足の温度を上昇させ、足の冷え症状に対応するものである。しかし深部までの温度上昇に至らないためか、冷え症が強い場合その加温程度では十分な症状改善にならない場合がある。その対応としてカイロの発熱温度を高く設定する事も考えるが、低温火傷などの危険性が起こりうるので注意が必要となる。
【発明の開示】
【発明が解決しようとする課題】
【０００３】そこで本発明が解決しようとする事として、カイロの温度は変えずに、使い捨て足用カイロにつぼを刺激する突起を付け加えることと、その突起に磁石を用いることにより磁気による効果も負荷した。これにより単なる通常の足用カイロによる加温効果よりも、さらに冷え症の症状改善効果のアップしたカイロを提供することを課題とする。
【課題を解決するための手段】
【０００４】以上の課題を解決するために、つぼ刺激用の突起として、５〜１０ｍｍ程度の半球状あるいは卵形状などの磁石を用いる。この磁石を足用使い捨てカイロの貼付面（シール面）に貼った上で、靴下を履いた足裏にカイロを貼り付けるが、磁石の位置は、足裏の冷え性に作用する湧泉というつぼを刺激する場所を選んで調整する。そのため磁石とカイロははじめ別々に分かれていることが望ましい。また磁石の強さは磁気治療に必要といわれる５００ガウス以上のものを用いる。
【発明の効果】
【０００５】これまでのカイロによる温熱効果のみでは、深部の温度上昇は不十分で冷え症の症状の改善がはかれないケースもあった。この足用使い捨てカイロを用いた上で、足に体重をかけること（立位や歩行など）により、突起による足裏への刺激作用・血行促進作用に加え、冷え症に効く湧泉へのつぼ作用・磁気による血行促進作用が期待できる。これにより単なるカイロによる温熱効果に加え、有意な冷え症緩和改善効果が期待できる。更に足裏をカイロで加温した上でつぼ刺激を行うことによる相乗効果も期待できる。
【発明を実施するための最良の形態】
【０００７】この発明の一実施形態を、図１に示す。
カイロの形態は、足の裏の形態に合わせた扁平な半楕円状などで、片面は靴下に貼り付くシール状となっている。シールは脱着時に靴下に残らないはがし易いものを用いる。
つぼ刺激用の突起となる磁石は５〜１０ｍｍ程度のつぼ刺激効果の適当なものを用いる。刺激の強さは人によって個人差があるので大きさは選べることが望ましい。その位置はカイロの貼付面のいずれにもずらして用いることができる。また足にあたる面は、球状あるいは卵形状などの曲面でできており、靴下や足底の一部に圧が集中することによる損傷及び外傷が発生しにくいようになっている。【０００８】「他の実施形態」
湧泉による刺激により冷え性以外に高血圧、糖尿病、アレルギー性鼻炎、更年期障害などの効果も期待できる。また足裏の湧泉以外のつぼに突起の位置を替えればそのつぼに応じた効果が期待できる。
このときカイロは使用せず突起を粘着テープで固定するだけでも良い。
例：足心−低血圧症、心臓病、関節リウマチ
足裏庭−胃腸不良
失眠−不眠症、高血圧
心包区−低血圧症、自律神経失調症、いらいら、更年期障害  など。
【図面の簡単な説明】
【００１０】
【図１】カイロの斜視図である。上面がシール面となる。
【図２】カイロの側面図である。上面がシール面となる。
【図３】足裏のつぼの図である。
【符号の説明】
【００１１】１  足用使い捨てカイロ
２  突起（磁石）
【図１】
2006026370.tif 000003
【図２】
2006026370.tif 000004
【図３】
2006026370.tif 000005
(57)【要約】【目的】ピアスを容易にイヤリングとして使用できるようにする【構成】イヤリング金具にピアスのポストを受ける機能を持たせた。【選択図】図１
2006026375.tif 000002
【特許請求の範囲】
【請求項１】
ピアスを差し込むことで取付可能なイヤリング金具
【請求項２】
ポスト部を脱着可能にしたピアス
【発明の詳細な説明】
【発明の詳細な説明】
【産業上の利用分野】
【０００１】この発明はピアス及びイヤリングに関するものである。
【背景技術】
【０００２】ぶら下り式のピアスをイヤリングに変更するのは、部品をはずし、丸カンにて接続することで容易にできるが、直付のピアスを、イヤリングに変更するには、ハンダ付等、手間のかかるものであった。
【発明が解決しようとする課題】
【０００３】本発明はピアスを容易にイヤリングに変更できるようにするものである。
【課題を解決するための手段】
【０００４】イヤリング金具に、ピアスが簡単に装着できるように、穴ないし、溝を設け、それをピアスのキャッチとして、機能させた。
【作用】
【０００５】本発明の、イヤリング金具が、ピアスのキャッチの機能を有する。
【実施例】
【０００６】イヤリング金具のアクセサリーヘッド取付部にピアスホールを設けた。ピアスホール内部はバネ機能を有し、ピアスのキャッチとして機能する。バネにかわり、シリコン等の弾性体にて、キャッチ機能を持たせることも考えられる。
又、ピアスのポストがシリコン等の容易に曲げられるものの場合のために湾曲ピアスホールを設けることも考えられる
又、ピアスのポストを一部バネとし、上部より差し込み、前方へ９０度倒して取付る方法も考えられる。
又、ピアスのヘッドとポストの接続をネジ式とし、ヘッドに付いた雄ネジ部をイヤリング金具のヘッド取付部に設けられた雌ネジ部にねじ込むことにより、簡単にピアスがイヤリングとして使でき、又もとどおりピアスとして使用することも可能である
【発明の効果】
【０００７】ピアスをイヤリングとして、簡単に使用できるようになり、又ピアスのポストを切断する方法を除き、もとどおりピアスとして使用することも可能となった。
【図面の簡単な説明】
【図１】ピアス及びイヤリング金具の拡大図である
【図２】イヤリング金具のピアスホール部の拡大図
【図３】ピアス及びイヤリング金具の拡大図
【図４】ネジ式ピアス及びイヤリング金具の部分拡大図
【符号の説明】
１．ピアスホール
２．ポストを切断されたピアス
３．イヤリング金具
４．１のピアスホールの拡大図
５．湾曲ピアスホール
６．シリコンポスト
７．一部バネのポスト
８．ネジ式ポスト雌ネジ部
９．ネジ式ポスト雄ネジ部
１０イヤリング金具側のピアスホール雌ネジ部
【図１】
2006026375.tif 000003
【図２】
2006026375.tif 000004
【図３】
2006026375.tif 000005
【図４】
2006026375.tif 000006
(57)【要約】【課題】  本考案は、傘をさした時に、傘から手を離せるようにし、またさしていない時も邪魔にならず、リュック型のかばんであれば、ほとんどのものに取り付け可能にしたものである。【解決手段】  傘の取手にカバー１をつける。帯状の布、ホルダー３をリュックの肩ひも１１に巻きつける。カバー１とホルダー３をパールボタン２で固定する。傘の柄１０をひも５とパールボタン６でホルダー３に固定する。収納袋７からベルト８を出し、傘の取手の上を通って、ホルダーがついていないリュックの肩ひも１２にかけて、スナップ９でとめ、より安定よく固定する。【選択図】  図２
2006026378.tif 000002
【特許請求の範囲】
【請求項１】
傘の取手にカバーをして、ホルダーに付けるところ。
【請求項２】
布製のホルダーにマジックテープをつけ、リュックの肩ひもに巻きつけ、つけ外し可能なところ。
【発明の詳細な説明】
【発明の詳細な説明】
【０００１】  幅１５ｃｍ長さ４０ｃｍ程の帯状の布に縦長にマジックテープをつけ、リュックの肩ひも片方、ほぼ全体に巻きつける。
【０００２】  傘の取手が入るぐらいの細長い袋にパールボタンを３個つける。細長い袋の口の部分には、袋がはずれない様にゴムを通す。帯状の布の中心より下にもパールボタンを３個以上つける。ボタンの数が多い程、傘をさした時の上下の調節がきく。傘の取手の部分が布に固定する。
【０００３】  帯状の布の上の部分に、パールボタン１個をつけた幅２ｃｍ長さ５ｃｍ程のひもをつける。傘の柄の中間の部分が布に固定する。
【０００４】  帯状の布のパールボタンが付いている辺りに、幅１０ｃｍ長さ４５ｃｍ程のひもをつける。傘の取手の上を通って布が巻きついていないリュックの肩ひもをかけてスナップ２個でとめる。傘が安定する。幅８ｃｍ長さ１２ｃｍ程の袋をつけ、このひもを使用しない時、収納する。
【発明が解決しようとする課題】
両手を離しても傘をさした状態が保てる道具が、傘をさしていない時邪魔になる。
携帯しにくく、使える傘が限られる。
幅広く使用しにくい。
【課題を解決するための手段】
布製で、リュックの肩ひもに巻きつける為邪魔にならず、リュックがあればいつでも使用できる。
布製なのでコンパクトに収納でき、取手カバーを使って傘をホルダーに固定することにより、取手がカバーに入れば、携帯傘も使用できる。
【発明実施の形態】
リュックの肩ひも１１に、ホルダー３をマジックテープ４で巻きつける。これでリュック型であれば、ほとんどのかばんが使用できる。
傘の取手にカバー１をつける。パールボタン２でカバー１とホルダー３を固定する。カバー１は傘をとじた時も、つけたまま使用できる。
ひも５とパールボタン６で傘の柄１０とホルダー３を固定する。これで傘がリュックに密着して安定する。
ベルト収納袋７からベルト８を出し、傘の取手の前を通ってリュックの肩ひも１２にかけてスナップ９でとめる。これで、さらに傘が安定する。
【発明の効果】
使用する材料が、布・マジックテープ・ボタンなので、誰でも簡単に作る事ができ、またコンパクトに収納することができる。
傘とホルダーを固定させるのがボタン操作のみなので、簡単につけ外しができる。
リュックの肩ひもにホルダーを巻きつけて使用するので、リュック型なら、なんでも使用でき、サイズを調整すれば、ランドセルにも使用できる。
自転車に乗る時・ベビーカーを押す時・両手に荷物がある時・小さい子供の手をひいて歩く時・赤ちゃんを抱っこしながら歩く時など、雨の日の外出をより安全に行動することができる。
【図面の簡単な説明】
【図１】  考案したホルダーのみを表わした図。
【図２】  ホルダーをリュックに取りつけ、傘をさして使用する時の図。
【図３】  ホルダーを傘をさして使用する時の全体図。
【図４】  ホルダーをリュックに取りつけ、傘をとじている時の全体図。
【符号の説明】
【１】  傘の取手にかぶせるカバー。
【２】  カバーとホルダーを固定する為のパールボタン。
【３】  主体となるホルダー。
【４】  ホルダーをリュックに取りつける為のマジックテープ。
【５】  傘の柄をホルダーに固定する為のひも。
【６】  傘の柄をホルダーに固定する為のパールボタン。
【７】  ベルト８をコンパクトに収納する為の袋。
【８】  傘をホルダーに安定よく固定する為のベルト。
【９】  ベルトをとめる為のスナップ。
【図１】
2006026378.tif 000003
【図２】
2006026378.tif 000004
【図３】
2006026378.tif 000005
【図４】
2006026378.tif 000006
(57)【要約】      （修正有）【課題】延長管とスキ間用ノズルが一体化した電気掃除機を提供する。【解決手段】延長管１の先端部分に先細形状のスキ間用ノズルを一体に形成し、床用ノズル２及び手ほうきノズル、他部品３を、延長管１の先細形状の先端部に嵌合できるようにした。通常の掃除の際は、床用ノズル２及び手ほうきノズル、他部品３を、延長管１の先端部に装着し、スキ間掃除をする際は、床用ノズル２及び手ほうきノズル、他部品３を、取り外して延長管１の先端部のスキ間用ノズルを露出させて行う。【選択図】図１
2006026379.tif 000002
【特許請求の範囲】
【請求項１】
延長管の先端をすき間用ノズル兼ジョイント凸部分とし、床用ノズルや他の付属部品を凹部分とした電気掃除機。
【発明の詳細な説明】
【技術分野】
【００１】本発明はスキ間用ノズル内蔵型の電気掃除機である。〔背景技術〕【００２】従来、スキ間用ノズルを外側のスキ間用ノズルホルダーに収めた電気掃除機があった。〔発明の開示〕【００３】そのために、次のような問題点があった。（イ）ホルダーより取りはづして付け替えるため、二度手間である。（ロ）スキ間用ノズルは小さいため紛失しがちである。（ハ）スキ間用ノズルが表に出ているので決してスマートとは言えない。〔課題を解決するための手段〕【００４】延長管の先端部分をスキ間用ノズル兼ジョイント部分とした電気掃除機である。〔発明の効果〕【００５】スキ間用ノズルが内蔵固定されているあめ、紛失する事もなく、床用ノズルからスキ間用ノズル、又その逆の作業も単純かつスムーズである〔発明を実施するための最良の形態〕【００６】以下本発明の実施の形態について説明する。（イ）延長管とスキ間用ノズルを一体他ジョイント凸部とする（１）（ロ）床用ノズルや他の部品を凹部分とする（２）（３）本発明は以上のような構成で（２）（３）を付けたりはずしたりして使用する。
【図面の簡単な説明】
【００７】
【図１】本発明の斜視図
【図２】本発明の使用状態を示す斜視図
【符号の説明】
【００８】１  延長管２  床用ノズル３  手ぼうきノズル、その他取り付け部品
【図１】
2006026379.tif 000003
【図２】
2006026379.tif 000004